(57)【要約】【課題】複数の２次側巻線を有するトランスを用いて複数の直流電圧を出力する場合に、高コスト化することなく、複数の直流電圧を安定して供給することができる電源回路、及びこの電源回路からの直流電圧により電気部品を安定して動作させることができる空気調和機を提供する。【解決手段】トランスＴの２次側巻線Ｌ２、Ｌ３、Ｌ４に整流回路４１、４２、４３をそれぞれ接続し、整流回路４１、４２、４３がそれぞれ出力する直流電圧を分圧回路４４、４５、４６にてそれぞれ分圧し、分圧した電圧を接続部４７の逆流防止用のダイオードＤ４、Ｄ５、Ｄ６を介してそれぞれシャントレギュレータＩＣ１のリファレンス端子に入力する。シャントレギュレータＩＣ１によりフォトカプラＰＣ１の発光素子ＰＣ１ａを駆動し、受光素子ＰＣ１ｂにて検出される発光量に応じて制御部３０がトランジスタＱ１のスイッチングを制御する。【選択図】図２
2007312577.tif 000002
【特許請求の範囲】
【請求項１】
１次側巻線及び複数の２次側巻線を有するトランスと、前記１次側巻線に直列に接続されたスイッチング素子と、該スイッチング素子のスイッチング制御を行う制御部と、前記複数の２次側巻線にそれぞれ接続され、前記２次側巻線の電圧を直流電圧に変換して出力する複数の整流部とを備え、複数の直流電圧を出力する電源回路において、
前記複数の整流部が出力する複数の直流電圧に応じて、カソードからアノードへ流れる電流の量が変化する１つのシャントレギュレータを備え、
前記制御部は、前記シャントレギュレータを流れる電流の量に応じて、前記スイッチング素子を制御するようにしてあること
を特徴とする電源回路。
【請求項２】
前記シャントレギュレータは、カソードからアノードへ流れる電流の量を制御する電圧が入力されるリファレンス端子を有しており、
前記複数の整流部が出力する複数の直流電圧をそれぞれ分圧して出力する複数の分圧部と、
該複数の分圧部の出力端子をそれぞれ逆流防止ダイオードを介して前記シャントレギュレータのリファレンス端子へ接続する接続部と
を備える請求項１に記載の電源回路。
【請求項３】
前記シャントレギュレータを流れる電流の量を検出するフォトカプラを備え、
前記制御部は、前記フォトカプラによる検出結果に応じて、前記スイッチング素子を制御するようにしてある請求項１又は請求項２に記載の電源回路。
【請求項４】
請求項１乃至請求項３のいずれか１つに記載の電源回路と、
該電源回路が出力する複数の直流電圧がそれぞれ供給される複数の電気部品と
を備えることを特徴とする空気調和機。
【発明の詳細な説明】
【技術分野】
【０００１】
本発明は、安定した複数の直流電圧を出力する電源回路、及びこの電源回路を搭載した空気調和機に関する。
【背景技術】
【０００２】
例えば、空気調和機には、送風機用のファンモータ、各種の制御を行うマイコン及びマイコンにより開閉が制御されるリレースイッチ等の複数の電気部品が搭載されており、これらの電気部品には商用の交流電源からの交流電圧が直流電圧に整流されて供給され、直流電圧により動作するようにしてある。しかし、それぞれの電気部品が動作するために必要な電源電圧値は必ずしも同一ではないため、空気調和機に搭載された電源回路では、整流された直流電圧を異なる電圧値の複数の直流電圧に変圧して各電気部品へ供給するようにしてある。
【０００３】
図３は、従来の電源回路の構成を示す回路図である。図示の電源回路は、１つの１次側巻線Ｌ１と、３つの２次側巻線Ｌ２、Ｌ３、Ｌ４とを有するトランスＴを備えている。１次側巻線Ｌ１には直列にスイッチング素子であるバイポーラ型のトランジスタＱ１が接続され、トランジスタＱ１の開閉を制御部１３０が行うようにしてある。１次側巻線Ｌ１には直流電圧が入力されており、制御部１３０がトランジスタＱ１を開閉させることにより、２次側巻線Ｌ２、Ｌ３、Ｌ４に巻き数に応じた交流電圧が発生するようにしてある。
【０００４】
２次側巻線Ｌ２の一端にはダイオードＤ１のアノードが接続され、ダイオードＤ１のカソード及び２次側巻線Ｌ２の他端の間にコンデンサＣ１が接続されている。ダイオードＤ１及びコンデンサＣ１は整流回路を構成しており、２次側巻線Ｌ２に発生した交流電圧を直流電圧Ｖ１に変換する。また、直列に接続されたフォトカプラの発光素子ＰＣ１ａ、抵抗Ｒ５０及びシャントレギュレータＩＣ５１が、コンデンサＣ１に並列に接続されており、シャントレギュレータＩＣ５１のリファレンス端子には、整流された直流電圧Ｖ１を抵抗Ｒ５１及びＲ５２により分圧した電圧が入力されている。これにより、整流回路による直流電圧Ｖ１の変動に応じてシャントレギュレータＩＣ５１のカソードからアノードへ流れる電流が変動し、フォトカプラの発光素子ＰＣ１ａの発光量が変動するようにしてある。フォトカプラの発光素子ＰＣ１ａが発する光を受光する受光素子ＰＣ１ｂは、制御部１３０に接続されているため、制御部１３０は、直流電圧の変動に応じて、直流電圧Ｖ１が安定するようにトランジスタＱ１の開閉の制御を行うことができるようにしてある。なお、シャントレギュレータＩＣ５１は、リファレンス端子に入力される電圧に応じて、カソードからアノードへ流れる電流量が変化する素子である。
【０００５】
２次側巻線Ｌ３には、同様にしてダイオードＤ２及びコンデンサＣ２による整流回路が接続されており、２次側巻線Ｌ３に発生した交流電圧を直流電圧Ｖ２に変換するようにしてある。また、２次側巻線Ｌ３の接地電位側の一端には、シャントレギュレータＩＣ５２のアノードが接続され、シャントレギュレータＩＣ５２のリファレンス端子には、整流された直流電圧Ｖ２を抵抗Ｒ５３及びＲ５４により分圧した電圧が入力されている。シャントレギュレータＩＣ５２のカソードは、逆流防止用のダイオードＤ４を介して、上述のフォトカプラの発光素子ＰＣ１ａに接続されている。これにより、直流電圧Ｖ２の変動に応じてシャントレギュレータＩＣ５２のカソードからアノードへ流れる電流が変動し、フォトカプラの発光素子ＰＣ１ａの発光量が変動するようにしてある。
【０００６】
２次側巻線Ｌ４には、同様にしてダイオードＤ３及びコンデンサＣ３による整流回路が接続されており、２次側巻線Ｌ４に発生した交流電圧を直流電圧Ｖ３に変換するようにしてある。また、２次側巻線Ｌ４の接地電位側の一端には、シャントレギュレータＩＣ５３のアノードが接続され、シャントレギュレータＩＣ５３のリファレンス端子には、整流された直流電圧Ｖ３を抵抗Ｒ５５及びＲ５６により分圧した電圧が入力されている。シャントレギュレータＩＣ５３のカソードは、逆流防止用のダイオードＤ５を介して、上述のフォトカプラの発光素子ＰＣ１ａに接続されている。これにより、直流電圧Ｖ３の変動に応じてシャントレギュレータＩＣ５３のカソードからアノードへ流れる電流が変動し、フォトカプラの発光素子ＰＣ１ａの発光量が変動するようにしてある。
【０００７】
以上の構成の電源回路においては、出力電圧である直流電圧Ｖ１、Ｖ２又はＶ３のいずれかが変動した場合に、シャントレギュレータＩＣ５１、ＩＣ５２又はＩＣ５３によりフォトカプラの発光素子ＰＣ１ａの発光量が変動し、受光素子ＰＣ１ｂでの受光量が変動するため、これに応じて制御部１３０が変動を打ち消すようにトランジスタＱ１のスイッチングを制御し、出力電圧を安定させることができる（特許文献１参照）。
【特許文献１】実開平５−９１９０号公報
【発明の開示】
【発明が解決しようとする課題】
【０００８】
しかしながら、従来の電源回路では、３つの出力電圧を安定して供給することができるという利点があるが、各２次側巻線にシャントレギュレータが必要であるため、２次側巻線の搭載数に応じてシャントレギュレータの搭載数が増加し、電源回路のコストが増大するという問題があり、また、多くのシャントレギュレータを搭載するために、回路基板により多くの実装面積が必要となり、回路基板が巨大化するという問題がある。
【０００９】
本発明は、斯かる事情に鑑みてなされたものであって、その目的とするところは、複数の２次側巻線に生じる電圧を整流して得られる複数の直流電圧に応じて流れる電流量が変化する１つのシャントレギュレータを備え、シャントレギュレータを流れる電流の量に応じて１次側巻線に接続されたスイッチング素子を制御する構成とすることにより、シャントレギュレータを１つ備えるのみで、複数の直流電圧のいずれかに変動が生じた場合に、直流電圧を安定させることができる電源回路を提供することにある。
【００１０】
また本発明の他の目的とするところは、整流された複数の直流電圧をそれぞれ分圧して出力する分圧部を設け、分圧部の出力端子をそれぞれ逆流防止ダイオードを介してシャントレギュレータのリファレンス端子へ接続する構成とすることにより、１つのシャントレギュレータにより複数の直流電圧の変動を確実に検知することができる電源回路を提供することにある。
【００１１】
また本発明の他の目的とするところは、シャントレギュレータを流れる電流の量を検出するフォトカプラを備え、フォトカプラの検出結果に応じて１次側巻線のスイッチング素子を制御する構成とすることにより、トランスの１次側の回路及び２次側の回路を絶縁した状態で、確実に２次側の回路から１次側の回路へ検出結果をフィードバックすることができる電源回路を提供することにある。
【００１２】
また本発明の他の目的とするところは、上述のいずれか１つの電源回路を備え、電源回路が出力する複数の直流電圧を複数の電気部品にそれぞれ供給する構成とすることにより、動作電圧の異なる電気部品を安定して動作させることができる空気調和機を提供することにある。
【課題を解決するための手段】
【００１３】
本発明に係る電源回路は、１次側巻線及び複数の２次側巻線を有するトランスと、前記１次側巻線に直列に接続されたスイッチング素子と、該スイッチング素子のスイッチング制御を行う制御部と、前記複数の２次側巻線にそれぞれ接続され、前記２次側巻線の電圧を直流電圧に変換して出力する複数の整流部とを備え、複数の直流電圧を出力する電源回路において、前記複数の整流部が出力する複数の直流電圧に応じて、カソードからアノードへ流れる電流の量が変化する１つのシャントレギュレータを備え、前記制御部は、前記シャントレギュレータを流れる電流の量に応じて、前記スイッチング素子を制御するようにしてあることを特徴とする。
【００１４】
本発明においては、複数の２次側巻線に生じる電圧を整流して得られる複数の直流電圧に応じて流れる電流量が変化する１つのシャントレギュレータを備える。複数の直流電圧の少なくともいずれか１つに変動が生じた場合に、シャントレギュレータを流れる電流の量が変動し、この変動を打ち消すように１次側巻線のスイッチング素子のスイッチングを制御する。これにより、複数の直流電圧が安定する。
【００１５】
また、本発明に係る電源回路は、前記シャントレギュレータが、カソードからアノードへ流れる電流の量を制御する電圧が入力されるリファレンス端子を有しており、前記複数の整流部が出力する複数の直流電圧をそれぞれ分圧して出力する複数の分圧部と、該複数の分圧部の出力端子をそれぞれ逆流防止ダイオードを介して前記シャントレギュレータのリファレンス端子へ接続する接続部とを備えることを特徴とする。
【００１６】
本発明においては、整流された複数の直流電圧をそれぞれ分圧して出力する分圧部を設ける。この分圧部の出力端子をそれぞれ逆流防止ダイオードを介してシャントレギュレータのリファレンス端子へ接続する。これにより、複数の直流電圧の少なくともいずれか１つに変動が生じた場合に、シャントレギュレータのリファレンス端子の電圧が変動し、シャントレギュレータを流れる電流の量が変動する。よって、１つのシャントレギュレータにより複数の直流電圧の変動を検知できる。
【００１７】
また、本発明に係る電源回路は、前記シャントレギュレータを流れる電流の量を検出するフォトカプラを備え、前記制御部は、前記フォトカプラによる検出結果に応じて、前記スイッチング素子を制御するようにしてあることを特徴とする。
【００１８】
本発明においては、シャントレギュレータを流れる電流の量をフォトカプラにより検出し、フォトカプラの検出結果に応じて１次側巻線のスイッチング素子を制御する。トランスの２次側の回路にフォトカプラの発光部を設け、１次側の回路に受光部を設けることにより、１次側の回路及び２次側の回路が絶縁された状態で、シャントレギュレータを流れる電流の量を２次側の回路から１次側の回路へフィードバックすることができる。
【００１９】
また、本発明に係る空気調和機は、上述のいずれか１つの電源回路と、該電源回路が出力する複数の直流電圧がそれぞれ供給される複数の電気部品とを備えることを特徴とする。
【００２０】
本発明においては、上述のいずれか１つの電源回路を備えて、電源回路が出力する複数の直流電圧を複数の電気部品にそれぞれ供給する。空気調和機には、ファンモータ及びマイコン等の動作電圧が異なる電気部品が搭載されているが、これらの電気部品を安定して動作させることができる。
【発明の効果】
【００２１】
本発明による場合は、複数の２次側巻線に生じる電圧を整流して得られる複数の直流電圧に応じて流れる電流量が変化する１つのシャントレギュレータを備え、シャントレギュレータを流れる電流の量に応じて１次側巻線に接続されたスイッチング素子を制御する構成とすることにより、複数の直流電圧の少なくともいずれか１つに変動が生じた場合に、シャントレギュレータを流れる電流の量が変動し、この変動を打ち消すように１次側巻線のスイッチング素子のスイッチングを制御でき、シャントレギュレータを１つ備えるのみで確実に複数の直流電圧を安定させることができるため、高コスト化することなく、電源回路から複数の直流電圧を安定して供給することができる。
【００２２】
また、本発明による場合は、整流された複数の直流電圧をそれぞれ分圧して出力する分圧部を設け、分圧部の出力端子をそれぞれ逆流防止ダイオードを介してシャントレギュレータのリファレンス端子へ接続する構成とすることにより、複数の直流電圧の少なくともいずれか１つに変動が生じた場合に、シャントレギュレータのリファレンス端子の電圧が変動し、シャントレギュレータを流れる電流の量が変動するため、１つのシャントレギュレータにより複数の直流電圧の変動を検知できる。よって、電源回路が高コスト化することなく、複数の直流電圧を安定して供給することができる。
【００２３】
また、本発明による場合は、シャントレギュレータを流れる電流の量を検出するフォトカプラを備え、トランスの２次側の回路にフォトカプラの発光部を設け、１次側の回路に受光部を設けて、フォトカプラの検出結果に応じて１次側巻線のスイッチング素子を制御する構成とすることにより、１次側の回路及び２次側の回路が絶縁した状態で、シャントレギュレータを流れる電流の量を２次側の回路から１次側の回路へフィードバックすることができるため、１次側の回路に発生したノイズが２次側の回路へ伝わりにくく、より安定した直流電圧を出力することができる。
【００２４】
また、本発明による場合は、上述のいずれか１つの電源回路を備え、電源回路が出力する複数の直流電圧を複数の電気部品にそれぞれ供給する構成とすることにより、空気調和機に搭載されたファンモータ及びマイコン等の動作電圧が異なる電気部品を安定して動作させることができ、電気部品の破壊などが起こりにくいため、空気調和機の信頼性を高めることができる。
【発明を実施するための最良の形態】
【００２５】
以下、本発明をその実施の形態を示す図面に基づき具体的に説明する。図１は、本発明に係る空気調和機の構成を示すブロック図である。本実施の形態に係る空気調和機はスプリットタイプの空気調和機であり、図において１０は空気調和機の室内機であり、２０は室外機である。室内機１０は、商用交流電源５０から与えられる交流電圧を直流電圧に変換する整流回路１１を備えており、整流回路１１の出力はスイッチング電源回路１２へ与えられている。スイッチング電源回路１２は、内部に備えたトランスＴ（図２にて図示する）により整流回路１１から与えられた直流電圧を、３種の電圧値の直流電圧に変換して出力するようにしてある。スイッチング電源回路１２が出力する一の直流電圧は、例えば室内機１０の室内ファンモータ１３及び室外機２０の室外ファンモータ２１等に供給され、他の直流電圧は、例えば室内機１０のリレー１４及び室外機２０のリレー２２等に供給され、更に他の直流電圧は、例えば室内機１０のマイコン１５及び室外機２０のマイコン２３等に供給されるようにしてある。
【００２６】
図２は、本発明に係る空気調和機のスイッチング電源回路１２の構成を示す回路図である。スイッチング電源回路１２は、整流回路１１の出力である直流電圧が入力される１つの１次側巻線Ｌ１と、３つの２次側巻線Ｌ２、Ｌ３、Ｌ４とを有するトランスＴを備えている。１次側巻線Ｌ１には直列にスイッチング素子であるバイポーラ型のトランジスタＱ１が接続され、トランジスタＱ１のスイッチングを制御部３０が制御するようにしてある。１次側巻線Ｌ１には整流回路１１からの直流電圧が入力されており、制御部３０がトランジスタＱ１のスイッチングを行うことによって、１次側巻線Ｌ１に間欠的に電流が流れるため、２次側巻線Ｌ２、Ｌ３、Ｌ４の巻き数及びトランジスタＱ１のスイッチング周波数に応じて、２次側巻線Ｌ２、Ｌ３、Ｌ４に交流電圧が発生する。
【００２７】
２次側巻線Ｌ２には、ダイオードＤ１及びコンデンサＣ１で構成される整流回路４１が接続されている。即ち、２次側巻線Ｌ２の一端に整流回路４１のダイオードＤ１のアノードが接続され、ダイオードＤ１のカソード及び２次側巻線Ｌ２の他端の間にコンデンサＣ１が接続されている。また、２次側巻線Ｌ２の他端は接地電位に接続され、ダイオードＤ１のカソードはスイッチング電源回路１２の一の出力端子に接続されている。この出力端子からは直流電圧Ｖ１が出力されるようにしてあり、図１に示す室内ファンモータ１３及び室外ファンモータ２１等の電気部品（図２においては抵抗Ｒ１３で略示する）に供給されるようにしてある。
【００２８】
同様に、２次側巻線Ｌ３には、ダイオードＤ２及びコンデンサＣ２で構成される整流回路４２が接続されている。即ち、２次側巻線Ｌ３の一端に整流回路４２のダイオードＤ２のアノードが接続され、ダイオードＤ２のカソード及び２次側巻線Ｌ３の他端の間にコンデンサＣ２が接続されている。また、２次側巻線Ｌ３の他端は接地電位に接続され、ダイオードＤ２のカソードはスイッチング電源回路１２の他の出力端子に接続されている。この出力端子からは直流電圧Ｖ２が出力されるようにしてあり、図１に示すリレー１４及びリレー２２等の電気部品（図２においては抵抗Ｒ１４で略示する）に供給されるようにしてある。
【００２９】
同様に、２次側巻線Ｌ４には、ダイオードＤ３及びコンデンサＣ３で構成される整流回路４３が接続されている。即ち、２次側巻線Ｌ４の一端に整流回路４３のダイオードＤ３のアノードが接続され、ダイオードＤ３のカソード及び２次側巻線Ｌ４の他端の間にコンデンサＣ３が接続されている。また、２次側巻線Ｌ４の他端は接地電位に接続され、ダイオードＤ３のカソードは３端子レギュレータ３１の入力端子に接続されている。３端子レギュレータ３１は、入力端子、出力端子及び接地端子の３つの端子を有し、入力端子から入力された入力電圧を、入力電圧より低い安定した出力電圧に変換して出力端子から出力するものである。３端子レギュレータ３１の入力端子はダイオードＤ３のカソードに接続され、接地端子は接地電位に接続され、出力端子はスイッチング電源回路１２の更に他の出力端子に接続されている。この出力端子からは直流電圧Ｖ３が出力されるようにしてあり、図１に示すマイコン１５及びマイコン２３等の電気部品（図２においては抵抗Ｒ１５で略示する）に供給されるようにしてある。
【００３０】
整流回路４１の出力電圧は抵抗Ｒ１及びＲ２による分圧回路４４により分圧され、整流回路４２の出力電圧は抵抗Ｒ３及びＲ４による分圧回路４５により分圧され、整流回路４３の出力電圧は抵抗Ｒ５及びＲ６により分圧されて、それぞれ分圧された電圧は逆流防止用のダイオードＤ４、Ｄ５、Ｄ６により構成される接続部４７へ与えられている。接続部４７は３つのダイオードＤ４、Ｄ５、Ｄ６のカソードを共通に接続したものであり、分圧回路４４、４５及び４６から与えられた電圧はそれぞれダイオードＤ４、Ｄ５及びＤ６のアノードに入力され、共通の出力がシャントレギュレータＩＣ１のリファレンス端子に入力されている。なお、抵抗Ｒ１及びＲ２、抵抗Ｒ３及びＲ４、並びに抵抗Ｒ５及びＲ６の抵抗値は、分圧回路４４、４５及び４６の出力電圧がそれぞれシャントレギュレータＩＣ１が動作する電圧値となるように設定されている。
【００３１】
シャントレギュレータＩＣ１のアノードは接地電位に接続され、カソードは直列に接続された抵抗Ｒ９及びＲ１０を介して３端子レギュレータ３１の出力端子に接続されている。また、抵抗Ｒ１０と並列にフォトカプラＰＣ１の発光部ＰＣ１ａが接続されており、シャントレギュレータＩＣ１を流れる電流を検出するようにしてある。フォトカプラＰＣ１の受光部ＰＣ１ｂは制御部３０に接続されて検出結果が与えられており、制御部３０は検出結果に応じてトランジスタＱ１のスイッチングを制御するようにしてある。
【００３２】
例えば、整流回路４１の出力である直流電圧Ｖ１が変動した場合、分圧回路４４の出力電圧が変動し、接続部４７の出力電圧が変動するため、シャントレギュレータＩＣ１を流れる電流の量が変動する。これにより、フォトカプラＰＣ１の発光素子ＰＣ１ａを流れる電流の量が変動し、この変動が受光部ＰＣ１ｂにて検出されるため、制御部３０は変動を打ち消すようにトランジスタＱ１のスイッチングを制御し、直流電圧Ｖ１を安定させる。整流回路４２の出力である直流電圧Ｖ２又は整流回路４３の出力である直流電圧が変動した場合も同様である。
【００３３】
以上の構成の空気調和機においては、スイッチング電源回路１２の３つの出力電圧である直流電圧Ｖ１、Ｖ２及びＶ３に変動が生じた場合であっても、変動に応じてシャントレギュレータＩＣ１がフォトカプラＰＣ１の発光量を変動させることにより、直流電圧Ｖ１、Ｖ２、Ｖ３の変動を制御部３０へフィードバックすることができるため、出力を安定させることができる。また、トランスＴが複数の２次側巻線を有し、複数の直流電圧を出力する場合であっても、１つのシャントレギュレータＩＣ１のみで上述の制御部３０へのフィードバックを実現できるため、電源回路を高コスト化することなく、より多くの出力電圧を取得することが可能である。
【００３４】
なお、本実施の形態においては、トランスＴが３つの２次側巻線を有し、スイッチング電源回路１２が３つの直流電圧を出力する構成としたが、これに限るものではなく、２つ又は４つ以上の直流電圧を出力する構成としてもよい。この場合には、出力する直流電圧の数に応じて分圧回路と接続部内の逆流防止用のダイオードとを設ければよく、シャントレギュレータは１つのみでよい。ただし、例えば８つの直流電圧を出力する場合に、４つの直流電圧毎に１つのシャントレギュレータを１つ設け、合計２つのシャントレギュレータを設けるなどの構成としてもよい。
【００３５】
また、図２に示す回路図においては、整流回路４３の出力を３端子レギュレータ３１を介して安定させて出力する構成としたが、これに限るものではなく、３端子レギュレータ３１を備えずに、整流回路４３の出力電圧を直接に直流電圧Ｖ３として出力する構成であってもよい。また、分圧回路４４、４５及び４６は、それぞれ２つの抵抗を有する構成としたが、これに限るものではなく、分圧回路が３つ以上の抵抗を有する構成であってもよい。
【図面の簡単な説明】
【００３６】
【図１】本発明に係る空気調和機の構成を示すブロック図である。
【図２】本発明に係る空気調和機のスイッチング電源回路の構成を示す回路図である。
【図３】従来の電源回路の構成を示す回路図である。
【符号の説明】
【００３７】
１０  室内機
１１  整流回路
１２  スイッチング電源回路（電源回路）
１３  室内ファンモータ（電気部品）
１４  リレー（電気部品）
１５  マイコン（電気部品）
２０  室外機
２１  室外ファンモータ（電気部品）
２２  リレー（電気部品）
２３  マイコン（電気部品）
３０  制御部
３１  ３端子レギュレータ
４１、４２、４３  整流回路（整流部）
４４、４５、４６  分圧回路（分圧部）
４７  接続部
５０  商用交流電源
Ｔ  トランス
Ｌ１  １次側巻線
Ｌ２、Ｌ３、Ｌ４  ２次側巻線
ＩＣ１  シャントレギュレータ
ＰＣ１  フォトカプラ
Ｑ１  トランジスタ（スイッチング素子）
Ｄ４、Ｄ５、Ｄ６  ダイオード（逆流防止ダイオード）
Ｖ１、Ｖ２、Ｖ３  直流電圧
【図１】
2007312577.tif 000003
【図２】
2007312577.tif 000004
【図３】
2007312577.tif 000005